(57)【要約】【課題】  セキュリティの確保とともに、参照用ソフトウェアのＰＣへのインストールに伴うＰＣ環境の構築に関する制約を回避する。【解決手段】  医療機関２０の情報処理装置２００は、医療情報を、前記医療情報を参照するためのソフトウェアが記録されているＵＳＢフラッシュメモリ４００に対して記録する。診療所３０の情報処理装置３００は、ＵＳＢフラッシュメモリ４００内の参照用ソフトウェアを起動させ、医療情報をディスプレイ３０４に表示させる。【選択図】  図１
2007249825.tif 000002
【特許請求の範囲】
【請求項１】
医療機関に設置される第１の情報処理装置と、前記医療機関とは異なる場所に設置される第２の情報処理装置とを有する医療情報の共有化システムであって、
前記第１の情報処理装置は、
医療に係る画像データ及び文書データのうちの少なくとも何れか一方のデータを含む医療情報を、前記医療情報を参照するためのソフトウェアが記録されている記録媒体に対して記録する記録手段を有し、
前記第２の情報処理装置は、
前記記録媒体内のソフトウェアを起動させる起動手段と、
前記ソフトウェアの起動により前記医療情報を表示手段に表示させる表示制御手段とを有することを特徴とする医療情報の共有化システム。
【請求項２】
前記起動手段は、前記第２の情報処理装置に対する前記記録媒体の装着に応じて、前記ソフトウェアを起動させることを特徴とする請求項１に記載の医療情報の共有化システム。
【請求項３】
前記第１の情報処理装置は、
前記医療情報を暗号化する暗号化手段を更に有し、
前記第２の情報処理装置は、
前記暗号化手段により暗号化された医療情報を復号化する復号化手段を更に有することを特徴とする請求項１又は２に記載の医療情報の共有化システム。
【請求項４】
前記記録媒体は、ＵＳＢ（Universal Serial Bus）フラッシュメモリであることを特徴とする請求項１乃至３の何れか１項に記載の医療情報の共有化システム。
【請求項５】
管理機関に設置される第３の情報処理装置を更に有し、
前記第３の情報処理装置は、
前記ソフトウェアを前記起動手段で起動させるためのＩＤ情報と前記ＩＤ情報に対応するパスワードとを前記ソフトウェアに対して設定する設定手段を有することを特徴とする請求項１乃至４の何れか１項に記載の医療情報の共有化システム。
【請求項６】
前記第３の情報処理装置は、
前記医療機関における前記記録媒体の利用に係る課金情報及び利用履歴情報のうちの少なくとも何れか一方を管理する管理手段を更に有することを特徴とする請求項５に記載の医療情報の共有化システム。
【請求項７】
前記第３の情報処理装置は、
前記記録媒体内の前記ソフトウェアを更新するための更新手段を更に有することを特徴とする請求項５又は６に記載の医療情報の共有化システム。
【請求項８】
医療機関に設置される情報処理装置であって、
医療に係る画像データ及び文書データのうちの少なくとも何れか一方のデータを含む医療情報を、前記医療情報を参照するためのソフトウェアが記録されている記録媒体に対して記録する記録手段を有することを特徴とする情報処理装置。
【請求項９】
医療機関とは異なる場所に設置される情報処理装置であって、
医療に係る画像データ及び文書データのうちの少なくとも何れか一方のデータを含む医療情報とともに前記記録媒体内に記録されるソフトウェアを起動させる起動手段と、
前記ソフトウェアの起動により前記医療情報を表示手段に表示させる表示制御手段とを有することを特徴とする情報処理装置。
【請求項１０】
医療機関に設置される情報処理装置の制御方法であって、
医療に係る画像データ及び文書データのうちの少なくとも何れか一方のデータを含む医療情報を、前記医療情報を参照するためのソフトウェアが記録されている記録媒体に対して記録する記録ステップを含むことを特徴とする情報処理装置の制御方法。
【請求項１１】
医療機関とは異なる場所に設置される情報処理装置の制御方法であって、
医療に係る画像データ及び文書データのうちの少なくとも何れか一方のデータを含む医療情報とともに前記記録媒体内に記録されるソフトウェアを起動させる起動ステップと、
前記ソフトウェアの起動により前記医療情報を表示手段に表示させる表示制御ステップとを含むことを特徴とする情報処理装置の制御方法。
【請求項１２】
請求項１０又は１１に記載の情報処理装置の制御方法をコンピュータに実行させるためのプログラム。
【発明の詳細な説明】
【技術分野】
【０００１】
本発明は、医療情報を複数の施設で共有化するための医療情報の共有化システムに関するものである。
【背景技術】
【０００２】
ＣＴやＭＲＩ等によって医療画像の撮影や読影を行う医療機関から、診療所等にそれらの医療情報を送る場合、インターネット等のネットワークを用いて送信する方法が知られている。また、医療画像を参照する場合には、参照用アプリケーション（ビューワ）を使用するＰＣにインストールする必要がある。
【０００３】
【特許文献１】特開２００２−１６９８９６号公報
【発明の開示】
【発明が解決しようとする課題】
【０００４】
しかしながら、インターネットに接続する環境がない診療所や、ネットワークへの不法侵入やデータのウイルス感染といったトラブルや事故から守るために、セキュリティを重視する観点から、ネットワークの接続に消極的な医療機関も多い。
【０００５】
また、参照用アプリケーションをインストールする場合には、設備導入に伴うコスト負担やソフトウェアのライセンス上の問題から、対応できるＰＣ環境の構築に大きな制約が生じている。
【０００６】
そこで、本発明の目的は、セキュリティの確保とともに、参照用ソフトウェアのＰＣへのインストールに伴うＰＣ環境の構築に関する制約を回避することにある。
【課題を解決するための手段】
【０００７】
本発明の医療情報の共有化システムは、医療機関に設置される第１の情報処理装置と、前記医療機関とは異なる場所に設置される第２の情報処理装置とを有する医療情報の共有化システムであって、前記第１の情報処理装置は、医療に係る画像データ及び文書データのうちの少なくとも何れか一方のデータを含む医療情報を、前記医療情報を参照するためのソフトウェアが記録されている記録媒体に対して記録する記録手段を有し、前記第２の情報処理装置は、前記記録媒体内のソフトウェアを起動させる起動手段と、前記ソフトウェアの起動により前記医療情報を表示手段に表示させる表示制御手段とを有することを特徴とする。
本発明の情報処理装置の第１の態様は、医療機関に設置される情報処理装置であって、医療に係る画像データ及び文書データのうちの少なくとも何れか一方のデータを含む医療情報を、前記医療情報を参照するためのソフトウェアが記録されている記録媒体に対して記録する記録手段を有することを特徴とする。
本発明の情報処理装置の第２の態様は、医療機関とは異なる場所に設置される情報処理装置であって、医療に係る画像データ及び文書データのうちの少なくとも何れか一方のデータを含む医療情報とともに前記記録媒体内に記録されるソフトウェアを起動させる起動手段と、前記ソフトウェアの起動により前記医療情報を表示手段に表示させる表示制御手段とを有することを特徴とする。
本発明の情報処理装置の制御方法の第１の態様は、医療機関に設置される情報処理装置の制御方法であって、医療に係る画像データ及び文書データのうちの少なくとも何れか一方のデータを含む医療情報を、前記医療情報を参照するためのソフトウェアが記録されている記録媒体に対して記録する記録ステップを含むことを特徴とする。
本発明の情報処理装置の制御方法の第２の態様は、医療機関とは異なる場所に設置される情報処理装置の制御方法であって、医療に係る画像データ及び文書データのうちの少なくとも何れか一方のデータを含む医療情報とともに前記記録媒体内に記録されるソフトウェアを起動させる起動ステップと、前記ソフトウェアの起動により前記医療情報を表示手段に表示させる表示制御ステップとを含むことを特徴とする。
本発明のプログラムは、前記情報処理装置の制御方法の第１又は第２の態様をコンピュータに実行させることを特徴とする。
【発明の効果】
【０００８】
本発明においては、医療情報を参照するためのソフトウェアが記録されている記録媒体に医療情報を医療機関において記録し、医療機関とは異なる場所で当該ソフトウェアを起動させ、医療情報を参照することができる。
従って、本発明によれば、記録媒体の持ち運びによってセキュリティを確保することができるとともに、当該記録媒体に記録された参照用ソフトウェアを使用することができるため、参照用ソフトウェアのＰＣへのインストールに伴うＰＣ環境の構築に関する制約を回避することができる。
【発明を実施するための最良の形態】
【０００９】
以下、本発明を適用した好適な実施形態を、添付図面を参照しながら詳細に説明する。
【００１０】
図１は、本発明の実施形態に係る医療情報の共有化システムの構成を模式的に示す図である。
図１に示すように、本実施形態に係る医療情報の共有化システムは、本医療情報の共有化システムの運用、管理等を行う管理機関１０に設置されるＰＣ等の情報処理装置１００、ＣＴやＭＲＩ等の医療画像の撮影や読影を行う病院等の医療機関２０に設置されるＰＣ等の情報処理装置２００、及び、医療機関２０より規模の小さい医院等の診療所３０に設置されるＰＣ等の情報処理装置３００を備える。
【００１１】
管理機関１０の情報処理装置１００と医療機関２０の情報処理装置２００とはインターネット等の通信回線によって接続される。一方、診療所３０の情報処理装置３００は、管理機関１０の情報処理装置１００と医療機関２０の情報処理装置２００とは通信回線で接続されていない。
【００１２】
管理機関１０の情報処理装置１００は、参照用アプリケーション作成・パスワード設定部１０１、参照用アプリケーション記録部１０２、運用・管理部１０３及びアプリケーション更新部１０４により構成される。
【００１３】
参照用アプリケーション作成・パスワード設定部１０１は、医療データ（医療情報）を参照するための参照用アプリケーションを作成する。ここでいう医療データとは、医療機関２０においてＣＴやＭＲＩ等によって得られる医療画像データ、及び、担当医が入力した診察に関するレポートデータ（文書データ）の少なくとも何れか一方を含むデータである。また、参照用アプリケーション作成・パスワード設定部１０１は、参照用アプリケーションを起動するためのユーザＩＤ及びユーザＩＤに対応するパスワードを参照用アプリケーションに設定する。即ち、参照用アプリケーション作成・パスワード設定部１０１は、操作者が参照用アプリケーションを作成するための機能と、参照用アプリケーションに対してユーザＩＤとパスワードとを設定するための機能を備える。これらの機能は、操作者の操作に応じて実行される機能であり、操作者の設計事項に応じた参照用アプリケーションの作成、ユーザＩＤ及びパスワードの設定を行うことができる。
【００１４】
参照用アプリケーション記録部１０２は、参照用アプリケーション作成・パスワード設定部１０１により作成された参照用アプリケーションをＵＳＢ（Universal Serial Bus）フラッシュメモリ４００に記録する。ＵＳＢフラッシュメモリ４００は、情報処理装置のＵＳＢコネクタに接続して使用する携帯可能なフラッシュメモリであり、その容量は１２８ＭＢ〜４ＧＢ程度ある。
【００１５】
なお、参照用アプリケーションが記録されたＵＳＢフラッシュメモリ４００は、郵便又は宅配便等で医療機関２０に配送される。或いは、ＵＳＢフラッシュメモリ４００を医療機関側に用意させ、パスワード等を設定した後の参照用アプリケーションを、管理機関１０の情報処理装置１００から医療機関２０の情報処理装置２００に対して通信回線を介して送信し、医療機関側２０で参照用アプリケーションをＵＳＢフラッシュメモリ４００に記録するようにしてもよい。
【００１６】
運用・管理部１０３は、医療機関２０による本医療情報の共有化システムの利用に関する課金情報及び利用履歴情報をデータベース１０５に蓄積して管理する。ここでは、医療情報の共有化システムの利用とは、本医療情報の共有化システムによるサービスを提供先となる医療機関２０が、患者の医療データを記録させたＵＳＢフラッシュメモリ４００を患者に渡し、医療機関２０と診療所３０と間で患者に持ち運びさせることによって、当該医療データを医療機関２０と診療所３０とで医療データを共有化することを想定している。
【００１７】
通常、比較的小規模な診療所３０では、ＭＲＩやＣＴ等の大規模且つ高性能な診療機器は備えておらず、それらにより撮影された医療画像データが必要な場合には、病院等の比較的大規模な医療機関２０に依頼する。医療機関２０において診察を終え、その診察結果である医療データを記録したＵＳＢフラッシュメモリ４００を患者が診療所３０に運ぶことにより、診療所３０側での医療データを共有することができる。なお、ここでは医療情報の共有化システムの利用に関する請求先は医療機関２０であることを想定しているため、本医療情報の共有化システムの利用に関する課金情報及び利用履歴情報は、医療機関２０側での入力情報に基づいて管理されるものとする。
【００１８】
アプリケーション更新部１０４は、参照用アプリケーションのバージョンアップ等の理由で、本医療情報の共有化システムのユーザである医療機関２０に対して参照用アプリケーションの更新を勧める必要がある場合、医療機関２０の情報処理装置２００に対して参照用アプリケーションの更新を促す通知を送る。
【００１９】
この通知に対して、参照用アプリケーションの更新要求が医療機関２０の情報処理装置２００からあった場合、アプリケーション更新部１０４は、参照用アプリケーションを更新するためのデータを医療機関２０の情報処理装置２００に対して送信する。この際、更新前の参照用アプリケーションが記録されたＵＳＢフラッシュメモリ４００は、医療機関２０の情報処理装置２００のＵＳＢコネクタに接続された状態にあり、医療機関２０の情報処理装置２００は、アプリケーション更新部１０４から受信した更新データを用いてＵＳＢフラッシュメモリ４００内の参照用アプリケーションを更新する。
【００２０】
医療機関２０の情報処理装置２００は、医療データ作成部２０１、医療データ暗号化部２０２、医療データ記録部２０３及び利用情報入力部２０４を備える。
【００２１】
医療データ作成部２０１は、医療画像データやレポートデータ等の医療データを作成する。医療画像データは、例えば、診察を担当した担当医による情報処理装置２００の操作によって、ＣＴ、ＭＲＩ、レントゲン撮影等により得られた医療画像データをデータベース５００から取り込むことで得られる。レポートデータは、担当医が診察に関するレポートデータを情報処理装置２００上で入力することによって得られる。なお、ＣＴ、ＭＲＩ、レントゲン撮影等により得られた医療画像データをデータベース５００から取り込む仕組みは、ＰＡＣＳ（Picture Archiving and Communication System）で実現可能である。
【００２２】
医療データ暗号化部２０２は、例えば担当医の暗号化の指示操作に応じて、医療データ作成部２０１により作成された医療データを所定の暗号化方式で暗号化する。
【００２３】
医療データ記録部２０３は、例えば担当医の記録処理の指示操作に応じて、既に参照用アプリケーションが記録されているＵＳＢフラッシュメモリ４００内に暗号化された医療データを記録する。
【００２４】
利用情報入力部２０４は、本医療情報の共有化システムの利用情報を入力する。利用情報は、例えば担当医の情報処理装置２００に対する操作によって入力され、担当医は、医療データを記録したＵＳＢフラッシュメモリ４００を患者に渡したり、ＵＳＢフラッシュメモリ４００を患者から返却してもらったりした時等に利用情報を入力する。利用情報入力部２０４で入力された利用情報は、通信回線を介して管理機関１０の運用・管理部１０３に対して送信する。入力される利用情報の具体例としては、利用者名（例えば、担当医の名前）や利用時間（例えば、利用開始時間、利用終了時間）等が挙げられる。これにより、管理機関１０側では、利用者毎に、医療情報の共有化システムの利用履歴を管理することができる。また、利用履歴から課金処理を行い、利用者毎の課金情報を管理することが可能となる。なお、最終的な課金処理は、所属する利用者（担当医）の課金情報をまとめて医療機関２０単位で行っても良い。
【００２５】
診療所３０に設置される情報処理装置３００は、医療データ復号化部３０１、パスワード入力部３０２、参照用アプリケーション起動部３０３及びディスプレイ３０４を備える。
【００２６】
医療データ復号化部３０１は、例えば診療所３０の医師等の操作に応じて、上記所定の暗号化方式に対応する復号化方式によりＵＳＢフラッシュメモリ４００内の医療データを復号化する。
【００２７】
パスワード入力部３０２は、例えば診療所３０の医師等の操作に応じてユーザＩＤとパスワードとを入力する。
【００２８】
参照用アプリケーションは、パスワード入力部３０２により入力されたユーザＩＤとパスワードとを認証すると、参照用アプリケーション起動部３０３によって起動可能な状態となる。ここで、参照用アプリケーション起動部３０３は、自動又は手動によって参照用アプリケーションを起動させることができるが詳細は後述する。ディスプレイ３０４は、参照用アプリケーションの起動によって医療データを表示する。なお、パスワード入力部３０２によって入力されたユーザＩＤとパスワードとが認証されなかった場合は、参照用アプリケーションを起動させることができない。
【００２９】
図２は、管理機関１０、医療機関２０又は診療所３０に設置される情報処理装置１００、２００又は３００のハードウェア構成を示すブロック図である。
【００３０】
ＣＰＵ６０１は、システムバスに接続される各デバイスやコントローラを統括的に制御する。ＲＯＭ６０３には、ＣＰＵ６０１の制御プログラムであるＢＩＯＳ（Basic Input/Output System）等が記憶され、ＨＤ（ハードディスク）６０７には、オペレーティングシステムプログラムが記録されている。また、ＨＤ（ハードディスク）６０７には、情報処理装置１００が実行する例えば図５及び図６に示す処理、情報処理装置２００が実行する例えば図３に示す処理、又は、情報処理装置３００が実行する例えば図４に示す処理のプログラム等が記録されている。
【００３１】
なお、図２の例では、ＨＤ６０７は情報処理装置１００、２００又は３００の内部に配置された構成としているが、他の実施形態としてＨＤ６０７に相当する構成が情報処理装置１００、２００又は３００の外部に配置された構成としてもよい。また、本実施形態に係る例えば図３乃至図６に示す処理を行うためのプログラムは、フレキシブルディスク（ＦＤ）６０６やＣＤ−ＲＯＭ等、コンピュータ読み取り可能な記録媒体に記録され、それらの記録媒体から供給される構成としてもよいし、インターネット等の通信媒体を介して供給される構成としてもよい。
【００３２】
ＲＡＭ６０２は、ＣＰＵ６０１の主メモリ、ワークエリア等として機能する。ＣＰＵ６０１は、処理の実行に際して必要なプログラム等をＲＡＭ６０２にロードして、プログラムを実行することで各種動作を実現するものである。
【００３３】
ディスクコントローラ６０５は、ＨＤ６０７やＦＤ６０６等の外部記録媒体へのアクセスを制御する。通信Ｉ／Ｆコントローラ６０４は、インターネットやＬＡＮ等と接続し、例えばＴＣＰ／ＩＰ等のプロトコルによって外部との通信を制御するものである。
【００３４】
ディスプレイコントローラ６０８は、ディスプレイ６０９における画像表示を制御する。
【００３５】
ＫＢ（キーボード）コントローラ６１０は、キーボード（ＫＢ）６１１からの操作入力を受け付け、ＣＰＵ６０１に対して送信する。なお、図示していないが、キーボード６１１の他に、マウス等のポインティングデバイスもユーザの操作手段として適用可能である。
【００３６】
ＵＳＢコネクタ６１２は、ＵＳＢフラッシュメモリ４００を情報処理装置１００、２００又は３００と接続するためのコネクタであり、ＵＳＢコネクタ６１２を介してＵＳＢフラッシュメモリ４００内の参照用アプリケーション及び医療データの読み出し及び書き込みが行われる。
【００３７】
ここで、管理機関１０の情報処理装置１００における参照用アプリケーション作成・パスワード設定部１０１、参照用アプリケーション記録部１０２、運用・管理部１０３及びアプリケーション更新部１０４は、例えばＨＤ６０７内に記憶され、必要に応じてＲＡＭ６０２にロードされるプログラム及びそれを実行するＣＰＵ６０１に相当する構成である。
【００３８】
医療機関２０の情報処理装置２００における医療データ作成部２０１及び医療データ記録部２０３は、例えばＨＤ６０７内に記憶され、必要に応じてＲＡＭ６０２にロードされるプログラム及びそれを実行するＣＰＵ６０１に相当する構成である。医療データ暗号化部２０２は、例えばＨＤ６０７内に記憶され、必要に応じてＲＡＭ６０２にロードされるプログラム、参照用アプリケーション及びそれらを実行するＣＰＵ６０１に相当する構成である。利用情報入力部２０４は、例えばキーボード６１１及びキーボードコントローラ６１０に相当する構成である。
【００３９】
診療所の情報処理装置３００における参照用アプリケーション起動部３０３は、例えばＨＤ６０７内に記憶され、必要に応じてＲＡＭ６０２にロードされるプログラム及びそれを実行するＣＰＵ６０１に相当する構成である。医療データ復号化部３０１は、例えば例えばＨＤ６０７内に記憶され、必要に応じてＲＡＭ６０２にロードされるプログラム、参照用アプリケーション及びそれらを実行するＣＰＵ６０１に相当する構成である。パスワード入力部３０２は、例えばキーボード６１１及びキーボードコントローラ６１０に相当する構成である。また、ディスプレイ３０４は、ディスプレイ６０９に相当する構成である。
【００４０】
次に、図３乃至図６のフローチャートを参照しながら、本実施形態に係る医療情報の共有化システムの動作について説明する。また、以下の説明においては、図７乃至図１０に示す表示画面の構成図、及び、図１１に示す参照用アプリケーションの機能の一覧を示す図を適宜用いるものとする。
【００４１】
図３は、医療機関２０の情報処理装置２００による医療データ作成・記録処理を示すフローチャートである。
【００４２】
医療データ作成部２０１は、例えば担当医による情報処理装置２００の操作に応じて、データベース５００から医療画像データを取り込んだり、レポートデータを作成すること等によって対象となる患者の医療データを作成する（ステップＳ３０１）。
【００４３】
続いて、医療データ暗号化部２０２は、例えば担当医の暗号化の指示操作に応じて、医療データ作成部２０１により作成された医療データを所定の暗号化方式で暗号化する（ステップＳ３０２）。
【００４４】
続いて、医療データ記録部２０３は、例えば担当医の記録処理の指示操作に応じて、既に参照用アプリケーションが記録されているＵＳＢフラッシュメモリ４００内に暗号化された医療データを記録する（ステップＳ３０３）。
【００４５】
図４は、診療所３０の情報処理装置３００による医療データ参照処理を示すフローチャートである。
【００４６】
先ず、診療所３０の医師は、ユーザＩＤ及びパスワードを画面上で入力する。図７は、ユーザＩＤ及びパスワードの入力画面例を示す図である。この入力画面は、診療所３０の情報処理装置３００のディスプレイ６０９上で表示される画面である。診療所３０の医師は、図７の入力画面におけるユーザＩＤ入力欄７０１とパスワード入力欄７０２に夫々、ユーザＩＤとパスワードとを入力する。
【００４７】
参照用アプリケーション起動部３０３は、例えば診療所３０の医師の操作に応じてパスワード入力部３０２より入力されたユーザＩＤとパスワードとが、参照用アプリケーションに設定されたユーザＩＤとパスワードと合致するか否かを判定する（ステップＳ４０１）。合致した場合、参照用アプリケーションの機能によりＵＳＢフラッシュメモリ４００内の医療データが復号化され、処理はステップＳ４０２に移行する。一方、合致しなかった場合、処理は終了する。
【００４８】
続いて、参照用アプリケーション起動部３０３は、「Ｃｕｔｅ」が情報処理装置３００内にインストールされているか否かを判定する（ステップＳ４０２）。
【００４９】
ちなみに、Ｗｉｎｄｏｗｓ（登録商標） ＯＳでは、ＵＳＢフラッシュメモリ４００を情報処理装置３００に接続すると、リムーバブルディスクとして認識するが、参照用アプリケーションを自動起動させることはできない。自動起動等の処理を行わせるためには、参照用アプリケーションを使用する前に、所定のソフトウェアを設定しておく必要がある。但し、この所定のソフトウェアを一度設定すると、次回以降の参照用アプリケーション使用時に再設定する必要はない。所定のソフトウェアを設定することにより、参照用アプリケーションの自動起動、ファイルの書き込み防止やファイルフォルダの編集等を予め登録しておくことができる。
【００５０】
例えば、ＵＳＢフラッシュメモリ４００としてアイ・オー・データ社の「Ｅａｓｙ Ｄｉｓｋ」を採用した場合、その「Ｅａｓｙ Ｄｉｓｋ」に対して「Ｃｕｔｅ」と呼ばれるユーティリティソフトウェアがある。この「Ｃｕｔｅ」と呼ばれるユーティリティソフトウェアを利用することにより、「Ｅａｓｙ Ｄｉｓｋ」を情報処理装置３００のＵＳＢコネクタ６１２に挿し込むだけで、参照用アプリケーションの自動起動、ファイルの書き込み防止やファイルフォルダの編集等の様々な機能を自動設定することができる。
【００５１】
ここでは、例えば参照用アプリケーション起動部３０３は、「Ｃｕｔｅ」が情報処理装置３００内にインストールされているか否かを判定し（ステップＳ４０２）、「Ｃｕｔｅ」がインストールされている場合には、参照用アプリケーションを自動起動する（ステップＳ４０３）。一方、「Ｃｕｔｅ」がインストールされていない場合には、参照用アプリケーション起動部３０３は、ＵＳＢフラッシュメモリ４００をリムーバブルディスクとして認識し（ステップＳ４０４）、例えば医師の参照用アプリケーション起動の指示入力に応じて、参照用アプリケーションを起動する（ステップＳ４０５）。
【００５２】
続いて、参照用アプリケーション起動部３０３によって参照用アプリケーションが起動されると、ＵＳＢフラッシュメモリ４００内の医療データがディスプレイ３０４上に表示される（ステップＳ４０６）。
【００５３】
ここで、図１１を用いて、参照用アプリケーション起動部３０３の機能について具体的に説明する。
【００５４】
図１１に示すように、参照用アプリケーションの機能は、「検査の選択」機能、「レポートの表示」機能、「画像の編集」機能及び「データの編集」機能に大別される。
【００５５】
「検査の選択」機能は、参照用アプリケーションの起動によりディスプレイ上に検査結果の一覧を示す画面を表示し、検査結果の一覧から例えば検査番号、検査日及びモダリティ（ＣＴ、ＭＲＩ、レントゲン等）を指定することによって所望の検査結果を選択できる機能である。
【００５６】
図８は、検査結果一覧表示画面の構成例を示す図である。図８に示すように、検査番号、検査日、患者ＩＤ、患者名、モダリティが検査結果毎に表示される。ユーザ（ここでは、診療所３０の医師）はこの一覧を参照し、所望の検査の位置でマウスをクリック操作すること等によって、当該所望の検査を選択する。
【００５７】
「レポートの表示」機能は、レポートデータを印刷するための「印刷」機能、印刷処理のプレビュー画面を参照するための「印刷プレビュー」機能、及び、レポートデータを記録媒体に保存するための「保存」機能を備える。
【００５８】
図９は、上記「印刷プレビュー」機能等によってディスプレイ上に表示されるレポート（検査報告書）データの構成例を示す図である。このレポートデータは、医療機関２０の医師によって作成されるデータであり、図９に示すように、検査日、患者の氏名、患者のＩＤ番号、患者の生年月日、患者の年齢、患者の性別、当該医療機関である病院名、診療課、担当医、検査部位、造影剤及びフィルムのデータを含む。
【００５９】
また、レポートデータには、医療機関２０の医師によって入力された当該検査に関する所見のデータ、及び、当該検査で得られた代表の医療画像データのサムネイル画像データが含まれる。
【００６０】
図１０は、医療画像データの表示画面の構成例を示す図である。図１０に示すように、拡大された医療画像データを表示するための拡大表示領域１００１と、縮小された複数の医療画像データを各分割画面に配置して表示するための分割表示領域１００２とを備える。
【００６１】
ユーザは、分割表示領域１００２に表示される所望の医療画像データの位置でマウスをクリックすること等により、所望の医療画像データを選択することができ、拡大表示領域１００１には、選択された医療画像データの拡大画像が表示される。なお、図１０に示す医療画像データの表示画面は、例えば図９のサムネイル画像データの位置でマウスをクリック操作すること等によって表示させることができる。
【００６２】
「画像の編集」機能は、「画像表示」機能、「計測機能」及び「画像分割表示」機能に分類される。
【００６３】
「画像表示」機能は、「回転」機能、「反転」機能、「拡大」機能、「縮小」機能、「部分拡大」機能、「フィット」機能、「リアルタイム拡大・縮小」機能、「リアルタイム階調操作」機能、「リアルタイム移動処理」機能、「画像送り」機能及び「アニメーション」機能を備える。
【００６４】
「回転」機能は、画像を回転表示させる機能である。
「反転」機能は、画像を反転表示させる機能である。
「拡大」機能は、画像を拡大表示させる機能である。
「縮小」機能は、画像を縮小表示させる機能である。
「部分拡大」機能は、部分画像を拡大表示させる機能である。
「フィット」機能は、画像を所定のサイズに合わせる機能である。
「リアルタイム拡大・縮小」機能は、ユーザの連続的な操作に対してリアルタイムに画像を拡大・縮小させる機能である。
「リアルタイム階調操作」機能は、ユーザの連続的な操作に対してリアルタイムに画像の色の階調を調整する機能である。
「リアルタイム移動処理」機能は、ユーザの連続的な操作に対してリアルタイムに画像を移動させる機能である。
「画像送り」機能は、格納している画像をユーザの操作に応じた順序で表示させる機能である。
「アニメーション」機能は、格納している画像を自動的に順次表示させる機能である。
【００６５】
「計測」機能は、「輝度計測」機能、「距離計測」機能及び「角度計測」機能を備える。
「輝度計測」機能は、画像生成時における輝度を計測する機能である。
「距離計測」機能は、画像生成時における撮影装置と対象画像との距離を計測する機能である。
「角度計測」機能は、画像生成時における撮影装置と対象画像との角度を計測する機能である。
【００６６】
「画面分割表示」機能は、「コマ指定」機能及び「画像比較」機能を備える。
「コマ指定」機能は、図１０の分割表示領域１００２に表示される複数の画像から任意の画像をユーザが指定すると、その分割画面内の画像が拡大表示される機能である。
「画像比較」機能は、図１０の分割表示領域１００２に表示される複数の画像から比較させたい画像をユーザが指定すると、それらの画像が拡大表示される機能である。
【００６７】
「データの編集」機能は、「データ暗号処理」機能及び「コメント追記」機能を備える。
「データ暗号処理」機能は、「暗号化」機能及び「復号化」機能を備える。
「暗号化」機能は、データを所定の暗号化方式で暗号化する機能であり、医療データ暗号化部２０２に相当する機能である。
「復号化」機能は、所定の暗号化方式に対応する復号化方式でデータを復号化する機能であり、医療データ復号化部３０１に相当する機能である。
「コメント追記」機能は、ユーザ（医療機関２０や診療所２０の医師等）がコメントを追記する機能である。
【００６８】
図５は、管理機関１０の情報処理装置１００による運用・管理処理を示すフローチャートである。
【００６９】
運用・管理部１０３は、医療機関２０の情報処理装置２００から利用情報を受信したか否かを判定する（ステップＳ５０１）。ここで受信する利用情報は、医療機関２０の情報処理装置２００の利用情報入力部２０４より入力された利用情報であり、利用者名、利用開始時間及び利用終了時間等が挙げられる。利用者名は、例えば患者を診察した担当医の名前であり、利用開始時間は、例えばＵＳＢフラッシュメモリ４００を患者に渡した時間であり、利用終了時間は、例えばＵＳＢフラッシュメモリ４００を患者から返却された時間である。
【００７０】
運用・管理部１０３は、利用情報を受信すると、利用者毎に、利用時間（利用開始時間から利用終了時間までの時間）に応じた課金情報と利用履歴とをデータベース内において更新する（ステップＳ５０２）。
【００７１】
図６は、管理機関１０の情報処理装置１００による参照用アプリケーション更新処理を示すフローチャートである。
【００７２】
アプリケーション更新部１０４は、参照用アプリケーションのバージョンアップ等の理由で、本医療情報の共有化システムのユーザである医療機関２０に対して参照用アプリケーションの更新を勧める必要がある場合、医療機関２０の情報処理装置２００に対して参照用アプリケーションの更新を促す通知を送る（ステップＳ６０１）。
【００７３】
続いて、アプリケーション更新部１０４は、上記の通知に対して、参照用アプリケーションの更新要求が医療機関２０の情報処理装置２００からあったか否かを判定する（ステップＳ６０２）。
【００７４】
医療機関２０の情報処理装置２００から参照用アプリケーションの更新要求があった場合、アプリケーション更新部１０４は、参照用アプリケーションを更新するためのデータを医療機関２０の情報処理装置２００に対して送信し、参照用アプリケーションを医療機関２００側で更新させる（ステップＳ６０３）。一方、参照用アプリケーションの更新要求がなかった場合には、本処理を終了する。
【００７５】
以上のように、本実施形態においては、参照用アプリケーションが記録されているＵＳＢフラッシュメモリ４００に医療データを医療機関２０において記録し、診療所３０で参照用アプリケーションを起動させ、医療データを参照することができる。従って、本実施形態によれば、ＵＳＢフラッシュメモリ４００を例えば患者が持ち運びすることにより、ネットワークへの不法侵入やデータのウイルス感染等のトラブルを防ぐことができ、セキュリティを確保することができる。また、ＵＳＢフラッシュメモリ４００に記録された参照用アプリケーションを使用して医療データを参照することができるため、参照用アプリケーションのＰＣへのインストールに伴う、コスト負担やソフトウェアのライセンス上の問題に基づくＰＣ環境の構築に関する制約を回避することができる。
【００７６】
また、ＵＳＢフラッシュメモリ４００は、ＣＤ−Ｒ等の記録媒体とは異なり、繰り返し使用することができるとともに、保存するデータ量に応じて適切なメモリを選択することができる。
【００７７】
また、本実施形態では、参照用アプリケーションに対するパスワードの設定、医療データに対する暗号化により、システムのプロテクトやデータ保護を担保している。
【００７８】
さらに、本実施形態では、システムの運用・管理を行う管理機関１０の情報処理装置１００によって実現させているため、システムの利用に伴う課金の管理、利用履歴の保存、参照用アプリケーションの更新等を自動的に行うことができる。
【００７９】
なお、上述した実施形態では、医療データ（医療情報）及び参照用アプリケーションを記録する記録媒体としてＵＳＢフラッシュメモリを用いているが、本発明は、ＵＳＢフラッシュメモリに限らず、自動起動できる書き換え可能なリムーバブルディスクにも適用可能である。
【図面の簡単な説明】
【００８０】
【図１】本発明の実施形態に係る医療情報の共有化システムの構成を模式的に示す図である。
【図２】管理機関、医療機関又は診療所に設置される情報処理装置のハードウェア構成を示すブロック図である。
【図３】医療機関の情報処理装置による医療データ作成・記録処理を示すフローチャートである。
【図４】診療所の情報処理装置による医療データ参照処理を示すフローチャートである。
【図５】管理機関の情報処理装置による運用・管理処理を示すフローチャートである。
【図６】管理機関の情報処理装置による参照用アプリケーション更新処理を示すフローチャートである。
【図７】ユーザＩＤ及びパスワードの入力画面例を示す図である。
【図８】検査結果一覧表示画面の構成例を示す図である。
【図９】ディスプレイ上に表示されるレポート（検査報告書）データの構成例を示す図である。
【図１０】医療画像データの表示画面の構成例を示す図である。
【図１１】参照用アプリケーション起動部の機能について具体的に説明するための図である。
【符号の説明】
【００８１】
１０：管理機関
２０：医療機関
３０：診療所
１００、２００、３００：情報処理装置
１０１：参照用アプリケーション作成・パスワード設定部
１０２：参照用アプリケーション記録部
１０３：運用・管理部
１０４：アプリケーション更新部
１０５、５００：データベース
２０１：医療データ作成部
２０２：医療データ暗号化部
２０３：医療データ記録部
２０４：利用情報入力部
３０１：医療データ復号化部
３０２：パスワード入力部
３０３：参照用アプリケーション起動部
３０４：ディスプレイ
４００：ＵＳＢフラッシュメモリ
【図１】
2007249825.tif 000003
【図２】
2007249825.tif 000004
【図３】
2007249825.tif 000005
【図４】
2007249825.tif 000006
【図５】
2007249825.tif 000007
【図６】
2007249825.tif 000008
【図７】
2007249825.tif 000009
【図８】
2007249825.tif 000010
【図９】
2007249825.tif 000011
【図１０】
2007249825.tif 000012
【図１１】
2007249825.tif 000013